(57)【要約】【課題】簡単な構成で、定期的に、空調ダクトの内面の清掃を行えるようにする。【解決手段】空調ダクト２の最下流の空気の流出口２ａに集塵ボックス６を設け、吹出口３のみへの空気の流入路Ｌ１に第１のバルブ７を設け、集塵ボックス６のみへの空気の流入路Ｌ２に第２のバルブ８を設ける。異物除去装置９を設け、非空調時を異物除去時として、第１のバルブ７を閉じ、第２のバルブ８を開き、空調機１から空調ダクト２へ空気を送り込むことによって（例えば、送風量を最大とする）、空調ダクト２内の異物を集塵ボックス６に吹き入れる。この異物除去動作は、非空調時に行うことが望ましいが、通常運転時（空調時）でも行うようにすることは可能である。【選択図】  図１
2020028824.tif 000002
【特許請求の範囲】
【請求項１】
空調機と、この空調機からの調和空気が送り込まれる空調ダクトと、この空調ダクトの途中から引き出される調和空気を空調エリアへ吹き出す吹出口とを備えた空調システムに付設されるダクト内異物除去システムであって、
前記空調ダクトの最下流の空気の流出口に設けられた集塵ボックスと、
前記吹出口への空気の流入路に設けられた第１のバルブと、
前記集塵ボックスへの空気の流入路に設けられた第２のバルブと、
異物除去時の動作として、前記第１のバルブを閉じ、前記第２のバルブを開き、前記空調機から前記空調ダクトへ空気を送り込むことによって、前記空調ダクト内の異物を前記集塵ボックスに吹き入れる異物除去動作を行うように構成された異物除去制御装置と
を備えることを特徴とするダクト内異物除去システム。
【請求項２】
請求項１に記載されたダクト内異物除去システムにおいて、
前記異物除去制御装置は、
前記空調エリアへの調和空気の供給が行われていない非空調時に前記異物除去動作を行うように構成されている
ことを特徴とするダクト内異物除去システム。
【請求項３】
請求項１に記載されたダクト内異物除去システムにおいて、
前記異物除去制御装置は、
夜中、休日などの特定の期間に、前記空調エリアに人がいないことを確認して、前記異物除去動作に入るように構成されている
ことを特徴とするダクト内異物除去システム。
【請求項４】
請求項１に記載されたダクト内異物除去システムにおいて、
前記異物除去制御装置は、
前記空調エリア内の照明が全て消えた時に、前記異物除去動作に入るように構成されている
ことを特徴とするダクト内異物除去システム。
【請求項５】
請求項１に記載されたダクト内異物除去システムにおいて、
前記異物除去制御装置は、
前記空調ダクト内に異物があるか否かを確認し、異物があることが確認された場合に、前記異物除去動作に入るように構成されている
ことを特徴とするダクト内異物除去システム。
【請求項６】
請求項１に記載されたダクト内異物除去システムにおいて、
前記空調機は、
異物を除去するフィルタを備え、
前記異物除去制御装置は、
前記フィルタの交換作業時に前記異物除去動作に入るように構成されている
ことを特徴とするダクト内異物除去システム。
【請求項７】
請求項１に記載されたダクト内異物除去システムにおいて、
前記異物除去制御装置は、
異物を除去する旨の指示を受けた場合、
冷房運転中であれば、前記空調エリア内の温度をその時の設定温度よりも所定温度低い第１の温度とした後、前記空調エリア内の温度が前記設定温度よりも所定温度高い第２の温度となるまで、前記異物除去動作を行い、
暖房運転中であれば、前記空調エリア内の温度をその時の設定温度よりも所定温度高い第１の温度とした後、前記空調エリア内の温度が前記設定温度よりも所定温度低い第２の温度となるまで、前記異物除去動作を行うように構成されている
ことを特徴とするダクト内異物除去システム。
【請求項８】
請求項１〜７の何れか１項に記載されたダクト内異物除去システムにおいて、
前記異物除去制御装置は、
前記空調機の送風量を最大として前記異物除去動作を行うように構成されている
ことを特徴とするダクト内異物除去システム。
【請求項９】
請求項１〜８の何れか１項に記載されたダクト内異物除去システムにおいて、
前記異物除去制御装置は、
前記異物除去動作時に前記空調ダクト内の温度を上昇させることによってダクト内の除菌を図るように構成されている
ことを特徴とするダクト内異物除去システム。
【発明の詳細な説明】
【技術分野】
【０００１】
本発明は、空調ダクトの内面に付着している埃などの異物を除去するダクト内異物除去システムに関する。
【背景技術】
【０００２】
従来より、オフィスやショッピングセンタなど広いスペースでは、大型の空調機からダクトを介して各所の空調を行うことが一般的である。図８に、大型の空調機からダクトを介して各所の空調を行う空調システムの概略を示す。
【０００３】
この空調システム１００は、空調機１と、この空調機１からの調和空気が送り込まれる空調ダクト２と、この空調ダクト２を通して送られてくる調和空気を空調エリアＡＲへ吹き出す吹出口３とを備えている。
【０００４】
なお、図８では省略しているが、オフィスやショッピングセンタなど広いスペースでは、吹出口３が複数設けられており、これら吹出口３に対応して空調エリアＡＲも複数存在する。
【０００５】
このような空調システム１００では、空調ダクト２に点検口を設けて、定期的にダクト内部を清掃するようにしている。なお、点検口は、一般的には、曲げ部付近など、空気抵抗が大きな所に設置される。
【０００６】
また、空調機１に埃などの異物を除去するフィルタを設けて、このフィルタの交換または清掃を定期的に行うようにしている。
【先行技術文献】
【特許文献】
【０００７】
【特許文献１】特開２０１５−０００３８７
【発明の概要】
【発明が解決しようとする課題】
【０００８】
しかしながら、空調ダクト２に点検口を設けたり、空調機１にフィルタを設けたりするだけでは、空調ダクト２の内面に付着している埃などの異物を完全に取り除くことはできない。空調ダクト２の内面には、ダクト内面空気抵抗などの影響により、埃などの異物が付着し、空調能力の低下、異臭の発生などの原因となる。
【０００９】
なお、例えば特許文献１には、空調ダクトの内面に付着・堆積した汚れ・垢・錆び・カビ等を洗浄除去する洗浄システムが示されている。しかしながら、この洗浄システムでは、回転させながら高圧圧縮空気を逆噴射させ、逆噴射させたエアーで剥離された汚れを、高負圧式大型集塵機に回収させるようにしており、電動台車やエアコンプレッサというような大掛かりな装置を必要とし、定期的な空調ダクトの内面の清掃には不向きである。
【００１０】
本発明は、このような課題を解決するためになされたもので、その目的とするところは、簡単な構成で、定期的に、空調ダクトの内面の清掃を行うようにすることが可能なダクト内異物除去システムを提供することにある。
【課題を解決するための手段】
【００１１】
このような目的を達成するために本発明は、空調機（１）と、この空調機からの調和空気が送り込まれる空調ダクト（２）と、この空調ダクトの途中から引き出される調和空気を空調エリア（ＡＲ）へ吹き出す吹出口（３）とを備えた空調システム（１００）に付設されるダクト内異物除去システム（２００）であって、空調ダクトの最下流の空気の流出口（２ａ）に設けられた集塵ボックス（６）と、吹出口への空気の流入路（Ｌ１）に設けられた第１のバルブ（７）と、集塵ボックスへの空気の流入路（Ｌ２）に設けられた第２のバルブ（８）と、異物除去時の動作として、第１のバルブを閉じ、第２のバルブを開き、空調機から空調ダクトへ空気を送り込むことによって、空調ダクト内の異物を集塵ボックスに吹き入れる異物除去動作を行うように構成された異物除去制御装置（９）とを備えることを特徴とする。
【００１２】
この発明において、空調ダクトの最下流の空気の流出口には集塵ボックスが設けられ、吹出口への空気の流入路には第１のバルブが設けられ、集塵ボックスへの空気の流入路には第２のバルブが設けられている。この発明において、異物除去制御装置は、異物除去時の動作（異物除去動作）として、第１のバルブを閉じ、第２のバルブを開き、空調機から空調ダクトへ空気を送り込むことによって、空調ダクト内の異物を集塵ボックスに吹き入れる。例えば、空調機の送風量を最大（必ずしも最大でなくてもよい）とすることによって、ダクト内の埃などの異物を吹き飛ばし、集塵ボックスに吹き入れる。この異物除去動作は、例えば非空調時に行うことが望ましいが、通常運転時（空調時）でも行うようにすることは可能である。また、数時間毎など、定期的に行うようにすることも可能である。
【００１３】
なお、上記説明では、一例として、発明の構成要素に対応する図面上の構成要素を、括弧を付した参照符号によって示している。
【発明の効果】
【００１４】
以上説明したように、本発明によれば、空調ダクトの最下流の空気の流出口に集塵ボックスを設け、吹出口への空気の流入路に第１のバルブを設け、集塵ボックスへの空気の流入路に第２のバルブを設け、異物除去時の動作（異物除去動作）として、第１のバルブを閉じ、第２のバルブを開き、空調機から空調ダクトへ空気を送り込むことによって、空調ダクト内の異物を集塵ボックスに吹き入れるようにしたので、簡単な構成で、定期的に、空調ダクトの内面の清掃を行うようにすることが可能となる。
【図面の簡単な説明】
【００１５】
【図１】図１は、本発明の実施の形態に係るダクト内異物除去システムの要部を示す図である。
【図２】図２は、異物除去動作を行うタイミングの一例（ケース１）を説明する図である。
【図３】図３は、異物除去動作を行うタイミングの一例（ケース２）を説明する図である。
【図４】図４は、異物除去動作を行うタイミングの一例（ケース３_１）を説明する図である。
【図５】図５は、異物除去動作を行うタイミングの一例（ケース３_２）を説明する図である。
【図６】図６は、異物除去動作を行うタイミングの一例（ケース４）を説明する図である。
【図７】図７は、異物除去動作を行うタイミングの一例（ケース５）を説明する図である。
【図８】図８は、空調機からダクトを介して各所の空調を行う空調システムの概略を示す図である。
【発明を実施するための形態】
【００１６】
以下、本発明の実施の形態を図面に基づいて詳細に説明する。図１は本発明の実施の形態に係るダクト内異物除去システム２００の要部を示す図である。同図において、図８と同一符号は図８を参照して説明した構成要素と同一或いは同等の構成要素を示し、その説明は省略する。
【００１７】
このダクト内異物除去システム２００は、図８に示した空調システム１００に付設されており、空調ダクト２の最下流の空気の流出口２ａに設けられた集塵ボックス６と、吹出口３への空気の流入路（吹出口３のみにつながる空気の流入路）Ｌ１に設けられた第１のバルブ７と、集塵ボックス６への空気の流入路（集塵ボックス６のみにつながる空気の流入路）Ｌ２に設けられた第２のバルブ８と、異物除去制御装置９とを備えている。
【００１８】
異物除去制御装置９は、プロセッサや記憶装置からなるハードウェアと、これらのハードウェアと協働して各種機能を実現させるプログラムとによって実現され、空調エリアＡＲへの調和空気の供給が行われていない非空調時を異物除去時とし、この異物除去時の動作として次のような異物除去動作を行う。
【００１９】
なお、空調時すなわち通常運転時には、第１のバルブ７が開かれ、第２のバルブ８は閉じられている。これにより、空調エリアＡＲへ、吹出口３を介して空調機１からの調和空気が供給される。
【００２０】
また、この実施の形態において、異物除去制御装置９には、外部から非空調時である旨の知らせが送られてくるものとする。例えば、空調機１の運転が停止した時に、異物除去制御装置９に非空調時である旨の知らせが送られてくる。
【００２１】
異物除去制御装置９は、非空調時（異物除去時）である旨の知らせを受けると、第１のバルブ７を閉じ、第２のバルブ８を開き、空調機１から空調ダクト２へ空気を送り込む。この際、異物除去制御装置９は、空調機１の送風量を、空調ダクト２内の埃などの異物を吹き飛ばすのに十分な風量に設定する。この例では、空調機１の送風量を最大とする。
【００２２】
これにより、空調ダクト２内に溜まっている埃などの異物は、空調機１から送り込まれる空気によって吹き飛ばされ、第２のバルブ８を介して集塵ボックス６へと送られる。この集塵ボックス６に溜まった埃などの異物は、集塵ボックス６を外すことで、容易に回収することが可能である。なお、集塵ボックス６は、埃などの異物をキャッチして、供給された空気は抜けるような構造とされている。
【００２３】
なお、上述した実施の形態では、非空調時である旨の知らせを受けた時に異物除去制御装置９が異物除去動作を行うものとしたが、異物除去制御装置９が異物除去動作を行うタイミングとしては種々のケースが挙げられる。
【００２４】
〔ケース１〕
ケース１では、夜中、休日などの予め定められた特定の期間に、空調エリアＡＲに人がいないことを確認して、異物除去動作に入るようにする。在室者の有無は、入退室システム、ドアロックの有無などで誰もいないことを確認する。この異物除去動作に入るか否かの判断は異物除去制御装置９が行う（図２参照）。
【００２５】
〔ケース２〕
ケース２では、空調エリアＡＲ内の照明が全て消えた時に、空調エリアＡＲに人がいないと判断して、異物除去動作に入るようにする。この異物除去動作に入るか否かの判断は異物除去制御装置９が行う（図３参照）。
【００２６】
〔ケース３_１〕
空調ダクト２内に異物がないのに異物除去動作をしても電気代の無駄である。このため、ケース３_１では、空調ダクト２内に異物があるか否かを確認し、異物があることが確認された場合に、異物除去動作に入るようにする。この異物除去動作に入るか否かの判断は異物除去制御装置９が行う（図４参照）。
【００２７】
例えば、空調ダクト２の内圧の変化を監視したり、空調ダクト２内にパーティクルカウンタ（汚れを検知するセンサ）を設置したりして、空調ダクト２内に異物があるか否かを確認し、異物があることが確認された場合に、異物除去動作に入る。図４では、空調ダクト２内に汚れを検知するセンサ（汚れ検知センサ）１０を設置している。
【００２８】
〔ケース３_２〕
ケース３_２では、空調ダクト２が複数系統設けられているような場合、空調ダクト２の系統毎に異物があるか否かを確認し、異物があることが確認された場合、異物除去動作に入るようにする。この異物除去動作に入るか否かの判断は異物除去制御装置９が行う（図５参照）。
【００２９】
図５の例では、空調ダクト２が２系統設けられている。すなわち、空調ダクト２が第１の空調ダクト２−１と第２の空調ダクト２−２とに枝分かれし、それぞれに吹出口３が設けられている。
【００３０】
この例において、異物除去制御装置９は、空調ダクト２−１に異物があることを確認した場合、空調ダクト２−１，２−２に設けられている第１のバルブ７−１，７−２を閉じ、第２のバルブ８−１，８−２を開いて、空調ダクト２−１，２−２に対して異物除去動作を行う。空調ダクト２−２に異物があることを確認した場合、空調ダクト２−１，２−２に設けられている第１のバルブ７−１，７−２を閉じ、第２のバルブ８−１，８−２を開いて、空調ダクト２−１，２−２に対して異物除去動作を行う。
【００３１】
〔ケース４〕
ケース４では、空調機１に設けられているフィルタの交換作業時に、異物除去動作に入るようにする。例えば、フィルタの交換作業時、作業者からの指示として、異物を除去する旨の指示（異物除去指示）を異物除去制御装置９へ与える（図６参照）。異物除去制御装置９は、この異物除去指示を受けて、異物除去動作に入る。なお、フィルタの交換作業時、自動的に異物除去制御装置９へ異物除去指示が送られるようにしてもよい。
【００３２】
〔ケース５〕
ケース５では、通常運転時（空調時）に異物除去指示を受けた場合に、異物除去動作を行うようにする（図７参照）。通常運転時（冷房運転中／暖房運転中）であるか否かの判断は異物除去制御装置９が行う。
【００３３】
例えば、冷房運転中に異物除去指示を受けた場合、異物除去制御装置９は、空調エリアＡＲ内の温度ｔｐｖをその時の設定温度ｔｓｐ（例えば、２５℃）よりも所定温度低い第１の温度ｔｐｖ１（例えば、２４℃）とした後、空調エリアＡＲ内の温度ｔｐｖが設定温度ｔｓｐよりも所定温度高い第２の温度ｔｐｖ２（例えば、２６℃）となるまで、異物除去動作を行う。
【００３４】
例えば、暖房運転中に異物除去指示を受けた場合、異物除去制御装置９は、空調エリアＡＲ内の温度ｔｐｖをその時の設定温度ｔｓｐ（例えば、２５℃）よりも所定温度高い第１の温度ｔｐｖ１（例えば、２６℃）とした後、空調エリアＡＲ内の温度ｔｐｖが設定温度ｔｓｐよりも所定温度低い第２の温度ｔｐｖ２（例えば、２４℃）となるまで、異物除去動作を行う。
【００３５】
このようにすることによって、通常運転時であっても異物除去作業が可能となる。
【００３６】
上記したように、異物除去制御装置９が異物除去動作を行うタイミングとしては、非空調時だけではなく、空調時も含めて、種々のケースが考えられる。また、この異物除去動作は、数時間毎など、定期的に行うようにすることも可能である。これにより、空調ダクト２内に異物が溜まりにくくなり、空調効果がアップする。
【００３７】
なお、上述した実施の形態において、異物除去動作時に、空調機１より温風を供給するようにして、空調ダクト２内を除菌するようにしてもよい。例えば、空調ダクト２内の温度を６０〜７０℃まで上昇させて１時間以上運転することで、空調ダクト２内の除菌を図るようにする。
【００３８】
〔実施の形態の拡張〕
以上、実施の形態を参照して本発明を説明したが、本発明は上記の実施の形態に限定されるものではない。本発明の構成や詳細には、本発明の技術思想の範囲内で当業者が理解し得る様々な変更をすることができる。
【符号の説明】
【００３９】
１…空調機、２…空調ダクト、２ａ…流出口、３…吹出口、６…集塵ボックス、７…第１のバルブ、８…第２のバルブ、９…異物除去制御装置、１０…汚れ検知センサ、１００…空調システム、２００…ダクト内異物除去システム、ＡＲ…空調エリア、Ｌ１，Ｌ２…流入路。
【図１】
2020028824.tif 000003
【図２】
2020028824.tif 000004
【図３】
2020028824.tif 000005
【図４】
2020028824.tif 000006
【図５】
2020028824.tif 000007
【図６】
2020028824.tif 000008
【図７】
2020028824.tif 000009
【図８】
2020028824.tif 000010